(57)【要約】【課題】所望の複数の方向へ同時に光を照射可能にした照明装置を提供する。【解決手段】長方形状の台板部を有し、中央部をスタンド１で支持させて水平に設けた第１の取付台部２と、前記台板部より短尺の長方形状の台板部を有し、前記台板部上に配置され、中央部を回動中心として水平方向に回動可能、かつ、任意の位置で固定可能に設けた第２の取付台部３と、光源４２としてＬＥＤを使用した第１，第２，第３及び第４の照明器４Ａ，４Ｂ，４Ｃ，４Ｄとを備える。第１及び第２の照明器は、第１の取付台部の台板部上に長手方向に移動可能、かつ、任意の位置に固定可能、及び第１の取付台部に対して水平方向に回動可能、かつ、任意の位置に固定可能に設ける。第３及び第４の照明器は、第２の取付台部の台板部上に、第２の取付台部に対して水平方向に回動可能、かつ、任意の位置に固定可能に設ける。【選択図】図１
0003180825.tif 000002
【実用新案登録請求の範囲】
【請求項１】
所望の巾及び長さの略長方形状の台板部を有し、略中央部をスタンドで支持させて略水平に設けた第１の取付台部と、
前記台板部の巾と略対応する巾及び前記台板部より短尺の略長方形状の台板部を有し、前記第１の取付台部の台板部上に配置され、略中央部を回動中心として前記第１の取付台部に対して略水平方向に回動可能、かつ、任意の位置に固定可能に設けた第２の取付台部と、
器体部の正面部に、光源から前記器体部の前方部方向へ光を照射する照明部を有する第１，第２，第３及び第４の照明器とを備え、
前記第１及び第２の照明器は、前記第１の取付台部の台板部上に配置され、前記台板部の長手方向に規制された所望の範囲内で移動可能、かつ、任意の位置で固定可能、及び前記第１の取付台部に対して略水平方向に回動可能、かつ、任意の位置に固定可能に設けられ、
前記第３及び第４の照明器は、前記第２の取付台部の台板部上に配置され、前記第２の取付台部に対して略水平方向に回動可能、かつ、任意の位置に固定可能に設けてある
ことを特徴とする照明装置。
【請求項２】
請求項１に記載の照明装置において、
前記第１の取付台部の台板部の長手方向の略中心線上に沿わせて前記台板部の長手方向の一側部側及び他側部側に設けた所望長さの長孔と、
前記第１の取付台部の台板部上に配置され、前記両長孔に沿わせてそれぞれ移動可能、かつ、任意の位置に固定可能、及び前記第１の取付台部に対して略水平方向に回動可能、かつ、任意の位置に固定可能に設けた第１及び第２の取付用支持部材と、
前記第２の取付台部の台板部上に所定の間隔を存して配置され、前記第２の取付台部に対して略水平方向に回動可能、かつ、任意の位置に固定可能に設けた第３及び第４の取付用支持部材とを備え、
前記第１及び第２の照明器は、前記第１及び第２の取付用支持部材でそれぞれ支持させて設けられ、
前記第３及び第４の照明器は、前記第３及び第４の取付用支持部材でそれぞれ支持させて設けられていることを特徴とする照明装置。
【請求項３】
前記第１の取付台部は、前記台板部と、この台板部の両側縁から略直角に延出させて対設した一対の側壁部とで略コ字型のアングル状に形成され、前記第２の取付台部は、前記台板部と、この台板部の両側縁から略直角に延出させて対設した一対の側壁部とで略コ字型のアングル状に形成されていることを特徴とする請求項１又は２に記載の照明装置。
【請求項４】
前記第１ないし第４の照明器の前記各光源はＬＥＤで構成されていることを特徴とする請求項１に記載の照明装置。
【考案の詳細な説明】
【技術分野】
【０００１】
本考案は照明装置に関する。さらに詳しくは、光の照射方向を任意に変更可能にした照射装置に関する。
【背景技術】
【０００２】
従来より、光の照射方向を変更可能に構成した照射装置は一般に知られている（例えば、特許文献１参照）。この特許文献１に記載の照明装置は、光の照射方向を前後方向（上下方向）に変更可能に構成したものである。また、光の照射方向を上下及び左右方向に変更可能に構成した照射装置も一般に知られている。しかし、従来の照明装置は、１個の照明器を備え、この照明器から所望の一方向へ光を照射するように構成されている。
【０００３】
ところで、光を照射する場合、一方のみではなく、目的対象物や状況等により、同時に複数の方向へ光を照射することが必要な場合がある。しかるに、従来の照明装置は上述したように一方向へのみ光を照射するように構成されているため、複数の照明装置を用意し、各照明装置から所望の方向へ光を照射して対応している。
【先行技術文献】
【特許文献】
【０００４】
【特許文献１】特開２０１１−１２４２２号公報
【考案の概要】
【考案が解決しようとする課題】
【０００５】
本考案は上記のような実情に鑑みてなされたもので、１台の照射装置で一方向は勿論、所望の任意の複数の方向へ同時に光を照射可能にした照射装置を提供することを目的とするものである。
【課題を解決するための手段】
【０００６】
上記目的を達成するため、本考案のうち、１つの考案（第１の考案）は、所望の巾及び長さの略長方形状の台板部を有し、略中央部をスタンドで支持させて略水平に設けた第１の取付台部と、
前記台板部の巾と略対応する巾及び前記台板部より短尺の略長方形状の台板部を有し、前記第１の取付台部の台板部上に配置され、略中央部を回動中心として前記第１の取付台部に対して略水平方向に回動可能、かつ、任意の位置に固定可能に設けた第２の取付台部と、
器体部の正面部に、光源から前記器体部の前方部方向へ光を照射する照明部を有する第１，第２，第３及び第４の照明器とを備え、
前記第１及び第２の照明器は、前記第１の取付台部の台板部上に配置され、前記台板部の長手方向に規制された所望の範囲内で移動可能、かつ、任意の位置で固定可能、及び前記第１の取付台部に対して略水平方向に回動可能、かつ、任意の位置に固定可能に設けられ、
前記第３及び第４の照明器は、前記第２の取付台部の台板部上に配置され、前記第２の取付台部に対して略水平方向に回動可能、かつ、任意の位置に固定可能に設けてあることを特徴とする。
【０００７】
本考案のうち、他の１つの考案（第２の考案）は、第１の考案の照明装置において、前記第１の取付台部の台板部の長手方向の略中心線上に沿わせて前記台板部の長手方向の一側部側及び他側部側に設けた所望長さの長孔と、
前記第１の取付台部の台板部上に配置され、前記両長孔に沿わせてそれぞれ移動可能、かつ、任意の位置に固定可能、及び前記第１の取付台部に対して略水平方向に回動可能、かつ、任意の位置に固定可能に設けた第１及び第２の取付用支持部材と、
前記第２の取付台部の台板部上に所定の間隔を存して配置され、前記第２の取付台部に対して略水平方向に回動可能、かつ、任意の位置に固定可能に設けた第３及び第４の取付用支持部材とを備え、
前記第１及び第２の照明器は、前記第１及び第２の取付用支持部材でそれぞれ支持させて設けられ、
前記第３及び第４の照明器は、前記第３及び第４の取付用支持部材でそれぞれ支持させて設けられていることを特徴とする。
【０００８】
本考案のうち、さらに他の１つの考案（第３の考案）は、第１又は第２の考案の照明装置において、前記第１の取付台部は、前記台板部と、この台板部の両側縁から略直角に延出させて対設した一対の側壁部とで略コ字型のアングル状に形成され、前記第２の取付台部は、前記台板部と、この台板部の両側縁から略直角に延出させて対設した一対の側壁部とで略コ字型のアングル状に形成されていること特徴とする。
【０００９】
本考案においては、前記第１ないし第４の照明器の前記各光源はＬＥＤを使用する構成を採用することができる（第４の考案）。
【考案の効果】
【００１０】
本考案によれば、次のような作用効果を奏する。
（１）第１ないし第４の各照明器の各光源の光を全て同一の方向へ照射して照明することができる。
（２）第３及び第４の照明器の各光源の光を例えば前方側の方向へ照射させると共に第１及び第２の照明器の各光源の光を左右方向、即ち、第３及び第４の照明器の光の照射方向と直交する方向へ照射させることができる。
（３）第３の照明器の光を前方側の方向、第４の照明器の光を後方側の方向へ照射させると共に第１及び第２照明器の光を左右方向へ照射させることができる。
（４）上記（１）〜（３）のように、１台の照明装置で第１〜第４の照明器の光の方向を所望の方向へ自由に変更して照射させることができる。
【図面の簡単な説明】
【００１１】
【図１】本考案の一実施形態の照明装置の全体構成を概略的に示す正面図である。
【図２】前記照明装置の全体構成を概略的に示す平面図である。
【図３】図３（ａ）は前記照明装置の一部を拡大し、その構成を概略的に示す側面図、図３（ｂ）は図３（ａ）に示す前記照明装置の一部を拡大し、その構成を概略的に示す側面説明図である。
【図４】図４（ａ）は図１のＡ−Ａ線で切断し、その一部の構成を概略的に示す拡大断面図、図４（ｂ）は図４（ａ）に示す照明装置の一部を拡大し、その構成を概略的に示す側面説明図である。
【図５】図１のＢ−Ｂ線で切断し、その一部の構成を概略的に示す拡大断面図である。
【図６】図１に示す照明装置に採用した第１及び第２の取付台部の構成を概略的に示す平面図である。
【図７】前記第１の取付台部の構成を概略的に示す斜視図（ａ）及び第２の取付台部の構成を概略的に示す斜視図（ｂ）である。
【図８】前記照明装置に採用した一個の支持部材を例示し、その構成を概略的に示す斜視図である。
【図９】第１の照明器を拡大し、その構成を概略的に示す正面図である。
【図１０】前記照明装置の第１〜第４の照明器の光の照射方向を変更した状態の一形態を概略的に示す平面説明図である。
【図１１】前記照明装置の第１〜第４の照明器の光の照射方向を変更した状態の他の形態を概略的に示す平面説明図である。
【考案を実施するための形態】
【００１２】
以下、図面を参照して本考案の実施形態の一例について説明する。
【００１３】
図１ないし図１０は本考案の一実施形態の照明装置を示す。これら図１ないし図１０に示すように、本実施形態は、スタンド１と、第１の取付台部２と、第２の取付台部３と、第１の照明器４Ａ，第２の照明器４Ｂ，第３の照明器４Ｃ，及び第４の照明器４Ｄとを備える。
【００１４】
前記スタンド１は、第１及び第２の取付台部２及び３、並びに第１ないし第４の照射器４Ａ…４Ｄを支持させるものである。本実施形態のスタンド１は、所望の径及び長さの主柱管１０と三本の脚杆１１とで三脚状に構成されている。主柱管１０は伸縮管で形成され、固定具１２で任意の位置で固定して長さ（高さ）を調節可能に構成されている。
【００１５】
主柱管１０は、管１０の上端中心部から突出されて設けた所望の長さのネジ棒１３を備える。主柱管１０に支持させて設けた第１及び第２の取付台部２，３は、後述するように、ネジ棒１３を介して解除自在に主柱管１０に固定される。なお、本実施形態のスタンド１は一例として開示したもので、図示以外の任意の構成に変更可能なものである。
【００１６】
第１の取付台部２は、所望の巾及び長さの略長方状の台板部２０を有し、略中央部をスタンド１で支持させて設けられる。取付台部はアルミ金属その他の金属材やその他の素材で構成される。本実施形態の前記取付台部２は金属材で構成されている。
【００１７】
本実施形態の第１の取付台部２は、図７（ａ）等に詳細に示すように、前記台板部２０と、この台板部２０の両側縁から略直角に延出させて対設した一対の側壁部２１ａ，２１ｂとで略コ字型のアングル状に形成されている。取付台部２は、台板部２０の略中央部に設けられ、前記ネジ棒１３を貫通して挿入する挿入孔２２を備える。第１の取付台部２は、ネジ棒１３を前記孔２２に貫通して挿入し、台板部２０の裏面（内側面）を主柱管１０の上端部に当接してスタンドで支持される。
【００１８】
第１の取付台部２は、図７（ａ）等に詳細に示すように、台板部２０の長手方向の略中心線上に沿わせて台板部２０の長手方向の一側部側及び他側部側に設けた所望長さの長孔２３ａ，２３ｂを備える。本実施形態の長孔２３ａ，２３ｂは、台板部２０の長さの約１／４強の長さ（両孔２３ａ，２３ｂは略同一長さ）に形成されている。第１の照明器４Ａは、第１の取付用支持部材５Ａで支持させて前記一方の長孔２３ａ又は２３ｂ（図示では長孔２３ａ）に沿わせて長孔の範囲内で移動可能、かつ、任意の位置で固定可能に台板部２０上に配置して設けられる。第２の照明器４Ｂは、第２の取付用支持部材５Ｂで支持させて前記他方の長孔２３ｂ又は２３ａ（図示では長孔２３ｂ）に沿わせて長孔の範囲内で移動可能、かつ、任意の位置で固定可能に台板部２０上に配置して設けられる。
また、第１及び第２の照明器４Ａ及び４Ｂは、第１の取付台部２の台板部２０に対して略水平方向に回動可能、かつ、任意の位置で固定可能に設けられる。なお、これらの点については追って更に説明する。
【００１９】
第１及び第２の取付用支持部材５Ａ及び５Ｂは金属板等で構成されている。第１の取付用支持部材５Ａは前記一方の長孔２３ａ又は２３ｂ（図示では長孔２３ａ）を介して台板部２０上に配置して設けられる。また、第２の取付用支持部材５Ｂは他方の長孔２３ｂ又は２３ａ（図示では長孔２３ｂ）を介して台板部２０上に配置して設けられる。
【００２０】
両取付用支持部材５Ａ，５Ｂは同一構成に形成されている。その一例として、第１の取付用支持部材５Ａを代表的に説明すると、本実施形態の支持部材５Ａは、図８に詳細に示すように、所望の肉厚、長さ及び巾の四角形の底壁部５０と、底壁部５０の両側縁から略直角に延出させて対設した一対の支持壁部５１ａ，５１ｂとで略コ字形の金具状に構成されている。
底壁部５０の略中央部には、ボルト挿入孔５２が設けてあると共に両支持壁部５１ａ，５１ｂの上方部側には、ボルト挿入用の挿入孔５３ａ，５３ｂが相対向して設けてある。
【００２１】
第１の取付用支持部材５Ａは、一方の長孔（図示では長孔２３ａ）を介して台板部２０上の一側部側に配置して設けられ、第２の取付用支持部材５Ｂは、他方の長孔（図示では長孔２３ｂ）を介して台板部２０上の他側部側に配置して設けられる。両支持部材５Ａ，５Ｂは、両長孔２３ａ，２３ｂに沿わせて長孔の範囲内で移動可能、かつ、任意の位置で固定可能、及び第１の取付台部に対して略水平方向に回動可能、かつ、任意の位置で固定可能に設けられる。
【００２２】
本実施形態の前記一方の支持部材５Ａは、底壁部５０の挿入孔５２を長孔２３ａに合致させ、その状態でボルト５４を挿入孔５２及び長孔２３ａに貫通して挿入し、ボルト５４の先端部（突出端部）に蝶ナット５５を螺合して締め付けて、支持部材５Ａを台板部２０上に固定して設けるように構成してある。また、他方の支持部材５Ｂは、底壁部５０の挿入孔５２を長孔２３ｂに合致させ、その状態でボルト５４を挿入孔５２及び長孔２３ｂに貫通して挿入し、ボルト５４の先端部（突出端部）に蝶ナット５５を螺合して締め付けて、支持部材５Ｂを台板部２０上に固定して設けるように構成してある（図３等参照）。
【００２３】
一方、上記状態において、両ナット５５，５５をそれぞれ緩めることにより、両支持部材５Ａ，５Ｂは、それぞれの長孔２３ａ，２３ｂに沿って長孔の範囲内で自由に移動可能になると共に台板部に対して略水平方向に自由に回動可能になる。そして、任意の位置で蝶ナット５５を再び締め付けることにより、両支持部材５Ａ，５Ｂは、その位置で台板部２０上に固定される。
【００２４】
第２の取付台部３は、前記台板部２０の巾と略対応する巾（略同じ巾）及び台板部２０より短尺の長さの台板部３０を有している。本実施形態の台板部３０は、第１の取付台部２の台板部２０の長さの約半分弱の長さに形成されている。第２の取付台部３はアルミ合金その他の金属材やその他の素材で構成されている。本実施形態の取付台部３は金属材で構成されている。
【００２５】
第２の取付台部３は、第１の取付台部２の台板部２０上に配置され、台板部３０の略中心部を回動中心として第１の取付台部２に対して略水平方向に回動自在、かつ、任意の位置、即ち、前記第１の取付台部の台板部２０に対して任意の交叉角度を付与して台板部２０に固定可能に支持させて設けられる。
【００２６】
本実施形態の第２の取付台部３は、図７（ｂ）等に詳細に示すように、前記台板部３０と、この台板部３０の両側縁から略直角に延出させて対設した一対の側壁部３１ａ，３１ｂとで略コ字型のアングル状に形成されている。第２の取付台部３は、台板部３０の略中央部に設けられ、前記ネジ棒１３を貫通させて挿入する挿入孔３２を備える。
【００２７】
第２の取付台部３は、前記第１の取付台部２の前記挿入孔２２に貫通した前記ネジ棒１３を前記台板部３０の挿入孔３２に貫通して挿入し、ネジ棒１３の先端部（突出端部）に蝶ナット１４を螺合して締め付けて、第１の取付台部２の台板部２０上に固定して設けるように構成されている。これにより、第１及び第２の取付台部２及び３はスタンド１の主柱管１０で支持させてスタンド１の上端部に固定して設けられる。
【００２８】
一方、上記状態において、ナット１４を緩めることにより、第２の取付台部３は、図６に仮想線で示すように、第１の取付台部２に対して略水平方向に回動可能になる。そして、任意の回動位置で蝶ナット１４を再び締め付けることにより、第２の取付台部３は、その位置で第１の取付台部の台板部２０上に固定される。
【００２９】
本実施形態の第２の取付台部３は、図７（ｂ）等に詳細に示すように、台板部３０の長手方向の略中心線上に沿わせて台板部３０の長手方向の一側部側及び他側部側に設けた所望長さの長孔３３ａ，３３ｂを備える。第３の照明器４Ｃは、第３の取付用支持部材５Ｃで支持させて、一方の長孔３３ａ又は３３ｂ（図示では長孔３３ａ）を介して台板部３０上に配置して設けられる。また、第４の照明器４Ｄは、第４の取付用支持部材５Ｄで支持させて、他方の長孔３３ｂ又は３３ａ（図示では長孔３３ｂ）を介して台板部３０上に配置して設けられる。前記長孔３３ａ，３３ｂは、前記取付用支持部材で支持させた状態で台板部３０上に設けた第３及び第４の照明器４Ｃ，４Ｄの回動操作を円滑かつ容易に行なえるようにするために設けたものである。
【００３０】
第３及び第４の取付用支持部材５Ｃ及び５Ｄは、第１及び第２の取付用支持部材と同質素材で同一に構成されている。即ち、所望の肉厚，長さ及び巾の四角形の底壁部５０と、底壁部５０の両側縁から略直角に延出させて対設した一対の支持壁部５１ａ，５１ｂとで略コ字形の金具状に構成されている。また、底壁部５０にボルト挿入用の挿入孔５２を設ける構成、及び両支持壁部５１ａ，５１ｂにボルト挿入用の挿入孔５３ａ，５３ｂを設ける構成についても同様である。
なお、図面が複雑になるのを避けるため、第３及び第４の取付用支持部材５Ｃ，５Ｄの前記各構成部の各符号５０，５１ａ，５１ｂ，５２，５３ａ，５３ｂ等については、図８を援用して省略する。
【００３１】
第３の取付用支持部材５Ｃは、第２の取付台部３の一方の長孔（図示では長孔３３ａ）を介して台板部３０上に配置して設けられ、第４の取付用支持部材５Ｄは、他方の長孔（図示では長孔３３ｂ）を介して台板部３０上に配置して設けられる。両支持部材５Ｃ，５Ｄは、両長孔３３ａ，３３ｂに沿わせて長孔の範囲内で移動可能、かつ、任意の位置で固定可能、及び第２の取付台部３に対して略水平方向に回動可能、かつ、任意の位置で固定可能に設けられる。
【００３２】
本実施形態の前記一方の取付用支持部材５Ｃは、底壁部５０の挿入孔５２を長孔３３ａに合致させ、その状態で上記と同様にボルト５４（図示せず）を挿入孔５２及び長孔３３ａに貫通させて挿入し、ボルトの先端部（突出端部）に蝶ナット５５（図示せず）を螺合して締め付けて、支持部材５Ｃを台板部３０上に設けるように構成されている。また、他方の支持部材５Ｄは、底壁部５０の挿入孔５２を長孔３３ｂに合致させ、その状態でボルト５４を挿入孔５２及び長孔３３ａに貫通させて挿入し、ボルト５４の先端部（突出端部）に蝶ナット５５を螺合して締め付けて、支持部材５Ｄを台板部３０上に固定して設けるように構成されている。
【００３３】
一方、上記状態において、両ナット５５，５５をそれぞれ緩めることにより、両支持部材５Ｃ，５Ｄは、それぞれ長孔３３ａ，３３ｂに沿って長孔の範囲内で移動可能になると共に台板部３０に対して略水平方向に自由に回動可能になる。そして、任意の位置で両ナット５５を再び締め付けることにより、両支持部材５Ｃ，５Ｄは、その位置で台板部３０上に固定される。
【００３４】
第１，第２，第３及び第４の各照明器４Ａ，４Ｂ，４Ｃ及び４Ｄは同一に構成され、器体部４０の正面部に照明部４１を備える。照明部４１は、図１及び図９に示すように、光源４２、反射板４３（反射鏡）、及び反射板４３の前面に設けた透明板４４等を備え、光源４２から器体部４０の前方部方向へ光を照射させるように構成されている。
【００３５】
本実施形態では、光源４２として複数個のＬＥＤ（発光ダイオード）を使用している。本実施形態では各照明部４１に１２ＶのＬＥＤを１２個宛づつ設けた例が開示されている。前記ＬＥＤの数量は所望に応じて増減可能である。
【００３６】
本実施形態の各照明器４Ａ…４Ｄは、器体部４０の下端部の略中央部に突出させて設け、取付用支持部材の両支持壁部５１ａ，５１ｂ間に適合して挟入（係入）可能に形成した取付部４５を備える。各取付部４５には図９に代表的に示すように、一側から他側に貫通するボルト挿入孔４６が形成されている。また、器体部４０の適当部に放熱部４７を備える。
【００３７】
各照明器４Ａ…４Ｄは図示しない電気コードにより電源（図示せず）と電気的に接続されている。電源としては、基本的には専用のバッテリー（図示せず）を使用するが、車両搭載のバッテリーを使用することもできる。また、ＡＣアダプタを接続して交流の電源も使用可能である。なお、配線部の適当部に電源スイッチ（図示せず）が設けてある。
【００３８】
第１の照明器４Ａは、第１の取付用支持部材５Ａの両支持壁部５１ａ，５１ｂ間に取付部４５を係入（挟入）し、両支持壁部５１ａ，５１ｂに設けた挿入孔５３ａ，５３ｂを利用し、図９に示すように、一方の孔５３ａ又は５３ｂからボルト４８を挿入して取付部４５の挿入孔４６及び他方の孔５３ｂ又は５３ａを貫通させ、ボルト４８の先端部（突出端部）にナット４９を螺合して締め付けて固定し、第１の照明器４Ａを両支持壁部５１ａ，５１ｂで挟持させて支持部材５Ａで支持させて取付けるように構成されている。なお、この場合において、第１の照明器４Ａは前後方向（上下方向）に角度を調整して取付けることも可能である。この点については、第２ないし第４の各照明器においても同様である。
【００３９】
第２の照明器４Ｂは、第２の取付用支持部材５Ｂに第１の照明器４Ａと同様に両支持壁部５１ａ，５１ｂで支持させて固定して取付けるように構成されている。これにより、第１及び第２の照明器４Ａ及び４Ｂは、第１の取付台部２の台板部２０上に配置され、台板部２０の長手方向に長孔２３ａ，２３ｂで規制された範囲内で自由に移動可能、かつ、任意の位置で固定可能、及び第１の取付台部に対して略水平方向に自由に回動可能、かつ、任意の位置で固定可能に搭載して設けてある。
【００４０】
第３の照明器４Ｃは、第３の取付用支持部材５Ｃに第１の照明器４Ａと同様の手段により両支持壁部５１ａ，５１ｂで支持させて固定して取付けるように構成されている。また、第４の照明器４Ｄは、第４の取付用支持部材５Ｄに第１の照明器４Ａと同様の手段により両支持壁部５１ａ，５１ｂで支持させて固定して取付けるように構成されている。
【００４１】
上記構成により、第３及び第４の照明器４Ｃ及び４Ｄは、第２の取付台部３の台板部３０上に並べて配置され、台板部３０の長手方向に長孔３３ａ，３３ｂで規制された範囲内で移動可能（但し、第１及び第２の照明器に比べて移動可能距離は短い。）、かつ、任意の位置で固定可能、及び第２の取付台部３に対して略水平方向に自由に回動可能、かつ、任意の位置で固定可能に搭載して設けてある。
【００４２】
本実施形態の照明装置は、上記のように構成したもので、次に使用例の一例及び作用効果等について説明する。
（１）図１及び図２に示すように、第１及び第２の取付台部２及び３を直線状に配置して固定すると共に各照明器の照明部４１を全て正面方向又は背面方向（前方側又は後方側の方向）に向けて固定する。これにより、各照明器の各照明部の光源の光を図２の矢印で示すように、全て同一方向（正面方向又は背面方向）へ照射して照明することができる。
【００４３】
（２）図１０に示すように、第３及び第４の照明器４Ｃ及び４Ｄは、上記（１）と同様に照明部を正面方向（前方側の方向）又は背面方向（後方側の方向）に向けて固定する。一方、第１の照明器４Ａは、照明部４１を図１０において左方向に向けて固定し、第２の照明器４Ｂは、照明部４１を第１の照明器と反対方向（図１０において右方向）に向けて固定する。これにより、第３及び第４の照明器は両照明部の光源の光を図１０の矢印で示すように、正面方向又は背面方向へ照射させて照明する。また、第１の照明器は照明部の光源の光を図１０の矢印で示すように、同図において左方向へ照射して照明する。また、第２の照明器は照明部の光源の光を第１の照明器と反対方向、即ち、図１０に矢印で示すように、同図において右方向へ照射して照明することができる。
【００４４】
（３）図１１に示すように、第２の取付台部３を第１の取付台部２と直交させて固定し、第３の照明器４Ｃは、照明部４１を正面方向（前方側の方向）に向けて固定する。また、第４の照明器４Ｄは、照明部４１を第１の照明器と反対方向、即ち、背面方向（後方側の方向）に向けて固定する。
一方、第１の照明器４Ａは中央部側（第３および第４の照明器の近く）へ移動し、照明部を図１１において左方向へ向けて固定する。また、第２の照明器４Ｂも第１の照明器４Ａと同様に中央部側へ移動し、照明部を第１の照明器と反対方向、即ち、図１１において右方向へ向けて固定する。これにより、第３の照明器４Ｃの光源の光を図１１の矢印で示すように、正面方向（前方側の方向）、第４の照明器の照明部の光源の光を同図矢印で示すように、背面方向（後方側の方向）へ照射させて照明する。また、同図に矢印で示すように、第１の照明器４Ａの照明部の光源の光を左方向、第２の照明器４Ｂの照明部の光源の光を右方向へ照射して照明することができる。
【００４５】
（４）上記（１）〜（３）に記載したように、１台の照明装置で第１ないし第４の照明器の光の照射方向を所望の方向へ自由に変更して照射し、照明することができる。
【００４６】
（５）また、各照明器４Ａ…４Ｄの照明部の光源の光を斜め方向へ照射して照明することもできる。また、斜め下方又は斜め上方へ向けて照射して照明することも可能である。
（６）さらにまた、本実施形態では、光源としてＬＥＤ（発光ダイオード）を使用した構成を採用したので、例えば、災害時等で停電した場合においても、バッテリーを使用して支障なく光を照射して照明することができる。
【００４７】
なお、上記した実施形態は一例として開示したもので、本考案は上記の実施形態に限定されるものではなく、実用新案登録請求の範囲に記載の技術思想を越脱しない範囲において任意に変更可能なものである。
【符号の説明】
【００４８】
１      スタンド
２      第１の取付台部
３      第２の取付台部
４Ａ    第１の照明器
４Ｂ    第２の照明器
４Ｃ    第３の照明器
４Ｄ    第４の照明器
４２    光源
【図１】
0003180825.tif 000003
【図２】
0003180825.tif 000004
【図３】
0003180825.tif 000005
【図４】
0003180825.tif 000006
【図５】
0003180825.tif 000007
【図６】
0003180825.tif 000008
【図７】
0003180825.tif 000009
【図８】
0003180825.tif 000010
【図９】
0003180825.tif 000011
【図１０】
0003180825.tif 000012
【図１１】
0003180825.tif 000013